(57)【要約】【課題】密着型イメージセンサの読取位置と読取ローラの原稿搬送方向の位置決めを正確に行って読取密着型イメージセンサと読取ローラとの間の隙間を均一に保ち、画像情報のボケ等の問題を解消することができる画像読取装置を提供すること。【解決手段】読取ローラ２１と、該読取ローラ２１に対向する密着型イメージセンサ２０を備え、前記読取ローラ２１と前記密着型イメージセンサ２０との間を通過する原稿の画像を前記密着型イメージセンサ２０で読み取って画像データを得る画像読取装置５において、前記密着型イメージセンサ２０の原稿幅両端を支持する支持部材２４，２５の各々に、前記読取ローラ２１の原稿搬送方向の係合凹部（位置決め部）２４ｄ，２５ｄを一体に形成する。【選択図】図７
2010093460.tif 000002
【特許請求の範囲】
【請求項１】
読取ローラと、該読取ローラに対向する密着型イメージセンサを備え、前記読取ローラと前記密着型イメージセンサとの間を通過する原稿の画像を前記密着型イメージセンサで読み取って画像データを得る画像読取装置において、
前記密着型イメージセンサの原稿幅両端を支持する支持部材の各々に、前記読取ローラの原稿搬送方向の位置決め部を一体に形成したことを特徴とする画像読取装置。
【請求項２】
前記各支持部材に形成された位置決め部を係合凹部で構成したことを特徴とする請求項１記載の画像読取装置。
【請求項３】
前記読取ローラを回転可能に支持する軸受を前記係合凹部に係合させることによって前記読取ローラの原稿搬送方向の位置決めを行うことを特徴とする請求項２記載の画像読取装置。
【請求項４】
前記支持部材の一方に前記密着型イメージセンサを原稿搬送方向に移動させてその位置調整を行う位置調整手段を設けたことを特徴とする請求項１〜３の何れかに記載の画像読取装置。
【請求項５】
請求項１〜４の何れかに記載の画像読取装置を備えたことを特徴とする画像形成装置。
【発明の詳細な説明】
【技術分野】
【０００１】
本発明は、対向配置された読取ローラと密着型イメージセンサとの間を通過する原稿の画像を前記密着型イメージセンサで読み取って画像データを得る画像読取装置及びこれを備えた画像形成装置に関するものである。
【背景技術】
【０００２】
電子写真方式によって用紙に画像を形成する複写機やプリンタ等の画像形成装置には原稿の画像を読み取るための画像読取装置が備えられており、画像読取装置には、対向配置された読取ローラと密着型イメージセンサとの間を通過する原稿の画像を前記密着型イメージセンサで読み取る方式を採用するものがある。斯かる画像読取装置においては、画像を読み取る際に原稿の浮き等を抑えるために読取ローラを所定の読取基準位置に高精度に位置決めする必要がある。
【０００３】
ところで、原稿は所定の搬送路を経て画像読取装置へと搬送され、画像読取装置によって画像が読み取られた原稿は搬送路を通って排出されるが、ジャム処理性を高めるためには読取ローラ側の搬送路を開放する必要があり、そのために読取ローラを開閉可能なカバー側に設ける構成が採用されている。
【０００４】
例えば特許文献１には、読取ローラを含む搬送ユニットを装置後側を支点として回動させて読取ローラ側の搬送路を開放する構成が開示されている。
【特許文献１】特許第４０１６４０６号公報
【発明の開示】
【発明が解決しようとする課題】
【０００５】
しかしながら、従来の画像読取装置においては、密着型イメージセンサの読取位置と読取ローラの原稿搬送方向の位置決めが不十分であったため、密着型イメージセンサの読取位置での読取ローラとの間の隙間が不均一となり、読み取られる画像情報にボケが発生する等の問題が発生していた。
【０００６】
本発明は上記問題に鑑みてなされたもので、その目的とする処は、密着型イメージセンサの読取位置と読取ローラの原稿搬送方向の位置決めを正確に行って読取密着型イメージセンサと読取ローラとの間の隙間を均一に保ち、画像情報のボケ等の問題を解消することができる画像読取装置及びこれを備えた画像形成装置を提供することにある。
【課題を解決するための手段】
【０００７】
上記目的を達成するため、請求項１記載の発明は、読取ローラと、該読取ローラに対向する密着型イメージセンサを備え、前記読取ローラと前記密着型イメージセンサとの間を通過する原稿の画像を前記密着型イメージセンサで読み取って画像データを得る画像読取装置において、前記密着型イメージセンサの原稿幅両端を支持する支持部材の各々に、前記読取ローラの原稿搬送方向の位置決め部を一体に形成したことを特徴とする。
【０００８】
請求項２記載の発明は、請求項１記載の発明において、前記各支持部材に形成された位置決め部を係合凹部で構成したことを特徴とする。
【０００９】
請求項３記載の発明は、請求項２記載の発明において、前記読取ローラを回転可能に支持する軸受を前記係合凹部に係合させることによって前記読取ローラの原稿搬送方向の位置決めを行うことを特徴とする。
【００１０】
請求項４記載の発明は、請求項１〜３の何れかに記載の発明において、前記支持部材の一方に前記密着型イメージセンサを原稿搬送方向に移動させてその位置調整を行う位置調整手段を設けたことを特徴とする。
【００１１】
請求項５記載の画像形成装置は、請求項１〜４の何れかに記載の画像読取装置を備えたことを特徴とする。
【発明の効果】
【００１２】
請求項１〜３記載の発明によれば、密着型イメージセンサの原稿幅両端を支持する支持部材の各々に一体に形成された位置決め部によって読取ローラの原稿搬送方向の位置決めを行うようにしたため、密着型イメージセンサの読取位置と読取ローラの原稿搬送方向の位置決めを正確に行うことができ、読取密着型イメージセンサと読取ローラとの間の隙間を均一に保って画像情報のボケ等の問題を解消することができる。
【００１３】
請求項４記載の発明によれば、支持部材の一方に設けられた位置調整手段によって密着型イメージセンサの原稿搬送方向の位置調整を行うことができるため、密着型イメージセンサと読取ローラとの相対位置ズレに伴う原稿のスキュー（斜行）の発生を防ぐことができる。
【００１４】
請求項５記載の発明によれば、画像情報のボケ等の問題を解消して高質画像を安定的に得ることができる。
【発明を実施するための最良の形態】
【００１５】
以下に本発明の実施の形態を添付図面に基づいて説明する。
【００１６】
図１は本発明に係る画像形成装置の外観斜視図であり、図示の画像形成装置１’は複写機能とプリンタ機能を備えた小型の複合機であって、矩形ボックス状の画像形成装置本体２’の上面には、手前に向かって開口する凹状の空間が形成され、この空間に排紙トレイ３’が設けられている。そして、画像形成装置本体２’上部の前記排紙トレイ３’の上方には本発明に係る画像読取装置１が設けられており、その前方には操作表示部４’が設けられている。
【００１７】
又、画像形成装置本体２の前面には、開閉可能な前カバー５’が設けられており、該前カバー５’の中段には手前側に引き出し可能な手差しトレイ６’が設けられている。
【００１８】
次に、画像形成装置本体２’の内部構造を図２に基づいて概説する。
【００１９】
図２は画像形成装置本体の内部構造を示す側断面図であり、画像形成装置本体２’内の略中央部には像担持体としての感光ドラム７’が回転可能に配されており、その周囲には帯電器８’、現像装置９’、転写ローラ１０’及びクリーニング装置１１’が配されている。そして、画像形成装置本体２’内の上部にはレーザースキャナユニット（ＬＳＵ）１２’が配置され、その横にはトナーコンテナ１３’が設けられている。
【００２０】
又、画像形成装置本体２’内の底部には給紙カセット１４’が装填されており、該給紙カセット１４’に収容された用紙又は前記手差しトレイ６’から供給される用紙は、図２に矢印にて示す搬送経路を経て画像が形成されて最終的には前記排紙トレイ３’に排出されるが、この用紙の搬送経路には搬送方向に向かってピックローラ１５’、リタードローラ１６’、レジストローラ対１７’、定着装置１８’及び排紙ローラ対１９’が順次配設されている。
【００２１】
次に、本発明に係る前記画像読取装置１について説明する。
【００２２】
図３は本発明に係る画像読取装置を備えた自動原稿搬送装置の斜視図、図４は同自動原稿搬送装置のカバーを開けた状態の斜視図、図５は自動原稿搬送装置の側断面図、図６はカバーを裏側から見た斜視図である。
【００２３】
図３〜図５に示す自動原稿搬送装置（オートフィーダ）１は、複写機等の不図示の画像形成装置の本体上部に配置されるものであって、図５に示すように、原稿トレイ２からその下方に設けられた排出トレイ３まで横Ｕ字状に屈曲した原稿搬送路４が形成されており、この原稿搬送路４の途中に本発明に係る画像読取装置５が配置されている。
【００２４】
以下、自動原稿搬送装置１の内部構造を図５に基づいて説明する。
【００２５】
原稿搬送路４の原稿トレイ２から第１の原稿読取位置ＧＰ１に至る経路には、ピックアップローラ６と、駆動ローラ７と従動ローラ８間に巻装された無端状の給紙ベルト９と、該給紙ベルト９に当接する分離ローラ１０と、レジストローラ１１及び搬送ローラ１２が配設されている。又、原稿搬送路４の第２の原稿読取位置ＧＰ２に至る経路には搬送ローラ１３が配設され、第２の原稿読取位置ＧＰ２から排紙トレイ３に至る経路には搬送ローラ１４，１５と排出ローラ１６が配設されている。尚、原稿トレイ２と排出トレイ３の間には反転トレイ１７が設けられており、原稿搬送路４の途中から分岐して反転トレイ１７に至る原稿搬送路１８には反転ローラ１９が設けられている。
【００２６】
而して、本発明に係る画像読取装置５は、原稿搬送路４の第１の原稿読取位置ＧＰ１に設けられており、原稿搬送路４を挟んでこれの両側に対向配置された密着型イメージセンサ（ＣＩＳ）２０と読取ローラ２１とで構成されている。又、第２の原稿読取位置ＧＰ２に配された自動読取用ガラス２２の下方には不図示のＣＣＤユニットが配されている。
【００２７】
以上のように構成された自動原稿搬送装置１において、原稿トレイ２上に積載された原稿は、ピックアップローラ６によってピックアップされ、分離ローラ１０によって１枚ずつ分離されつつ、駆動ローラ７によって回転駆動される給紙ベルト９によって原稿搬送路４をレジストローラ１１へと搬送される。レジストローラ１１へと搬送された原稿は、一時待機状態とされた後に適当なタイミングで送り出され、搬送ローラ１２によって原稿搬送路４を第１の原稿読取位置ＧＰ１へと搬送され、該第１の原稿読取位置ＧＰ１において画像読取装置５の密着型イメージセンサ２０と読取ローラ２１の間を通過する過程でその裏面の画像が密着型イメージセンサ２０によって読み取られる。
【００２８】
上述のように第１の原稿読取位置ＧＰ１において密着型イメージセンサ２０によって裏面の画像が読み取られた原稿は、搬送ローラ１３によって原稿搬送路を第２の原稿読取位置ＧＰ２へと搬送され、この第２の原稿読取位置ＧＰ２を通過する過程でその表面の画像が不図示のＣＣＤユニットによって読み取られる。このように両面の画像が読み取られた原稿は、搬送ローラ１４，１５によって原稿搬送路４を排出トレイ３に向かって搬送され、排出ローラ１６によって排出されて排出トレイ３上に積載される。
【００２９】
ところで、自動原稿搬送装置５においては、画像読取中に原稿が原稿搬送路４においてジャムした場合、ジャムした原稿を容易に取り除くことができるように原稿搬送路４は開閉可能なカバー２３によって覆われており、必要な場合には図４に示すようにカバー２３を開けて原稿搬送路４を開放することができる。この場合、図６に示すように、画像読取装置５の読取ローラ２１はカバー２３側に回転可能に設けられている。
【００３０】
次に、本発明に係る画像読取装置５の位置決め構造を図７〜図１１に基づいて説明する。
【００３１】
図７は本発明に係る画像読取装置の斜視図、図８（ａ）は同画像読取装置の密着型イメージセンサ部の斜視図、図８（ｂ）は同密着型イメージセンサ部の分解斜視図、図９（ａ），（ｂ）は密着型イメージセンサの支持部材の斜視図、図１０（ａ）は画像読取装置の読取ローラ部の斜視図、図１０（ｂ）は同読取ローラ部の分解斜視図、図１１（ａ）〜（ｃ）は密着型イメージセンサの脱着構造を示す部分斜視図である。
【００３２】
図７及び図８に示すように、密着型イメージセンサ２０の長手方向両端（原稿幅両端）は支持部材２４，２５によってされている。ここで、図８（ｂ）に示すように、密着型イメージセンサ２０の前側（図８の右側）の幅方向両端には位置決め用突起２０ａが垂直に立設されており、これらの位置決め用突起２０ａの間には締結用孔２０ｂが形成されている。又、密着型イメージセンサ２０の後側（図８の左側）には支持軸２０ｃが外側方（後方）に向かって水平に突設されている。
【００３３】
他方、図９（ａ）に示すように、密着型イメージセンサ２０の前側端部を支持する前記支持部材２４の内面（密着型イメージセンサ２０に対向する側の面）には矩形ブロック状の凸部２４Ａが形成されており、この凸部２４Ａの下面の密着型イメージセンサ２０の前側端部に形成された前記位置決め用突起２０ａと締結用孔２０ｂに対応する位置には位置決め用孔２４ａとビス挿通孔２４ｂが形成されている。又、支持部材２４の凸部２４Ａには２つの読取ローラガイド２４ｃが突設されており、これらの読取ローラガイド２４ｃの間には係合凹部２４ｄが形成されている。
【００３４】
更に、支持部材２４の左右に形成された取付ブラケット２４Ｂには横方向（原稿搬送方向）に長い長孔２４ｅがそれぞれ形成されており、これらの長孔２４ｅが密着型イメージセンサ２０を原稿搬送方向に移動させてその位置調整を行う位置調整手段を構成している。
【００３５】
又、図９（ｂ）に示すように、密着型イメージセンサ２０の後側端部を支持する前記支持部材２５の内面（密着型イメージセンサ２０に対向する側の面）には、密着型イメージセンサ２０の後側端部が遊嵌するための凹部２５Ａが形成されており、この凹部２５Ａの壁には、密着型イメージセンサ２０の後端部に突設された前記支持軸２０ｃ（図８（ｂ）参照）が挿入嵌合される嵌合孔２５ａが形成されている。そして、支持部材２５の上部には２つの読取ローラガイド２５ｂ，２５ｃが一体に形成されており、これらの読取ローラガイド２５ｂ，２５ｃの間には係合凹部２５ｄが形成されている。
【００３６】
而して、図１１（ｃ）に示すように、自動原稿搬送装置１の後側内面には支持部材２５が取り付けられており、前側の側板１Ａには矩形の切欠き１ａが形成されている。密着型センサ２０の前側には支持部材２４が取り付けられるが、この支持部材２４の取り付けに際しては、密着型イメージセンサ２０の前側端部に形成された位置決め用突起２０ａが支持部材２４に形成された位置決め用孔２４ａに嵌合することによって密着型イメージセンサ２０と支持部材２４との位置決めがなされ、支持部材２４のビス挿通孔２４ｂに挿通する不図示のビスを密着型イメージセンサ２０の前側端部に形成された締結用孔２０ｂにねじ込むことによって支持部材２４が密着型イメージセンサ２０の前側端部に取り付けられる。
【００３７】
上述のように前側端部に支持部材２４が取り付けられた密着型イメージセンサ２０は、図１１（ａ）に示すように、その後側端部を先にして自動原稿搬送装置１の前側の側板１Ａに形成された前記切欠き１ａに通してこれを奥側（後側）へとスライドさせて押し込むことによって自動原稿搬送装置１の第１の原稿読取位置ＧＰ１（図５参照）に装着され、支持部材２４の取付ブラケット２４Ｂに形成された長孔２４ｅに挿通する不図示のボルトを側板１Ａに締め付けることによって該支持部材２４と共に密着型イメージセンサ２０の前側端部が側板１Ａに固定される。このとき、取付ブラケット２４Ｂには原稿搬送方向に長い長孔２４ｅがそれぞれ形成されているため、不図示のボルトが長孔２４ｅ内で移動し得る範囲で密着型イメージセンサ２０の原稿搬送方向の位置を調整することができる。このため、密着型イメージセンサ２０と読取ローラ２１との相対位置ズレに伴う原稿のスキュー（斜行）の発生を防ぐことができる。
【００３８】
そして、図１１（ａ）に示すように自動原稿搬送装置１に装着された密着型イメージセンサ２０を取り外すには、支持部材２４の側板１Ａへの固定を解除した後、密着型イメージセンサ２０を支持部材２４と共に図１１（ｂ）の矢印方向（前側）にスライドさせて引き抜けば、図１１（ｃ）に示すように密着型イメージセンサ２０を取り外すことができ、このとき、他方の支持部材２５は自動原稿搬送装置１側に残る。
【００３９】
次に、カバー２３側に設けられる読取ローラ２１の構成とその位置決め構造を図１０に基づいて説明する。
【００４０】
読取ローラ２１の前側端部は、軸受２６を介してホルダ２７の一端に回転可能に支持され、同読取ローラ２１の後側端部は、軸受２８を介して他方のホルダ２７の一端に回転可能に支持され、ホルダ２７から奥側（後方）に突出する端部にはギヤ２９が結着されるとともに、軸受３０が挿通している。
【００４１】
而して、読取ローラ２１は、その軸方向両端を軸受２６，２８を介して支持する一対のホルダ２７の他端部を前記カバー２３に枢着することによってカバー２３の揺動回動に支持されるが、カバー２３を図３に示すように閉じた状態では、軸受２６，２８が支持部材２４，２５の係合凹部２４ｄ，２５ｄにそれぞれ係合することによって密着型イメージセンサ２０に対して原稿搬送方向の位置決めが正確になされる。そして、読取ローラ２１は、ホルダ２７とカバー２３との間に縮装されたバネ３１によって密着型イメージセンサ２０側に付勢され、密着型イメージセンサ２０との間に所定の微小隙間が形成される。尚、カバー２３が閉じて読取ローラ２１が支持部材２４，２５に形成された係合凹部２４ｄ，２５ｄによって位置決めされると、該読取ローラ２１の後側端部に結着されたギヤ２９は、自動原稿搬送装置１側に設けられた駆動ギヤ３２（図１１参照）に噛合し、不図示の駆動モータの駆動力が駆動ギヤ３２からギヤ２９を経て読取ローラ２１に伝達され、該読取ローラ２１が所定の速度で回転駆動される。
【００４２】
以上において、本実施の形態では、密着型イメージセンサ２０の原稿幅両端を支持する支持部材２４，２５の各々に一体に形成された位置決め部としての係合凹部２４ｄ，２５ｄに読取ローラ２１の原稿搬送方向を軸受２６，３０を介して係合させることによって該読取ローラ２１の位置決めを行うようにしたため、密着型イメージセンサ２０の読取位置と読取ローラ２１の原稿搬送方向の位置決めを正確に行うことができ、密着型イメージセンサ２０と読取ローラ２１との間の隙間を均一に保って画像情報のボケ等の問題を解消することができる。
【図面の簡単な説明】
【００４３】
【図１】本発明に係る画像形成装置の外観斜視図である。
【図２】本発明に係る画像形成装置の側断面図である。
【図３】本発明に係る画像読取装置を備えた自動原稿搬送装置の斜視図である。
【図４】本発明に係る画像読取装置を備えた自動原稿搬送装置のカバーを開けた状態の斜視図である。
【図５】本発明に係る画像読取装置を備えた自動原稿搬送装置の側断面図である。
【図６】カバーを裏側から見た斜視図である。
【図７】本発明に係る画像読取装置の斜視図である。
【図８】（ａ）は本発明に係る画像読取装置の密着型イメージセンサ部の斜視図、（ｂ）は同密着型イメージセンサ部の分解斜視図である。
【図９】（ａ），（ｂ）は密着型イメージセンサの支持部材の斜視図である。
【図１０】（ａ）は本発明に係る画像読取装置の読取ローラ部の斜視図、（ｂ）は同読取ローラ部の分解斜視図である。
【図１１】（ａ）〜（ｃ）は本発明に係る画像読取装置の密着型イメージセンサの脱着構造を示す部分斜視図である。
【符号の説明】
【００４４】
１              自動原稿搬送装置
１Ａ            自動原稿搬送装置の側板
１ａ            側板の切欠き
２              原稿トレイ
３              排出トレイ
４              原稿搬送路
５              画像読取装置
６              ピックアップローラ
７              駆動ローラ
８              従動ローラ
９              給紙ベルト
１０            分離ローラ
１１            レジストローラ
１２〜１５      搬送ローラ
１６            排出ローラ
１７            反転トレイ
１８            原稿搬送路
１９            反転ローラ
２０            密着型イメージセンサ
２０ａ          密着型イメージセンサの位置決め用突起
２０ｂ          密着型イメージセンサの締結用孔
２０ｃ          密着型イメージセンサの支持軸
２１            読取ローラ
２２            自動読取用ガラス
２３            カバー
２４            支持部材
２４Ａ          支持部材の凸部
２４Ｂ          支持部材の取付ブラケット
２４ａ          支持部材の位置決め用孔
２４ｂ          支持部材のビス挿通孔
２４ｃ          支持部材の読取ローラガイド
２４ｄ          支持部材の係合凹部
２４ｅ          支持部材の長孔
２５            支持部材
２５Ａ          支持部材の凹部
２５ａ          支持部材の嵌合孔
２５ｂ，２５ｃ  支持部材の読取ローラガイド
２５ｄ          支持部材の係合凹部
２６            軸受
２７            ホルダ
２８            軸受
２９            ギヤ
３０            軸受
３１            バネ
３２            駆動ギヤ
ＧＰ１          第１の原稿読取位置
ＧＰ２          第２の原稿読取位置
【図１】
2010093460.tif 000003
【図２】
2010093460.tif 000004
【図３】
2010093460.tif 000005
【図４】
2010093460.tif 000006
【図５】
2010093460.tif 000007
【図６】
2010093460.tif 000008
【図７】
2010093460.tif 000009
【図８】
2010093460.tif 000010
【図９】
2010093460.tif 000011
【図１０】
2010093460.tif 000012
【図１１】
2010093460.tif 000013